(57)【要約】【課題】撮影画像をプリンタにて印刷したり、パソコンに接続したり、記録媒体をパソコンにて読み取らせたりする手間を不要にして、撮影後すぐに撮影画像の階調性の有無を確認することができるようにする。【解決手段】表示された拡大画像の階調を検出し、検出された検出結果を基に輝度を変換して、変換された輝度結果に基づいて階調補正を行って拡大画像を表示することにより、撮影した画像をプリンタにて印刷したり、パソコンに接続したり、記録媒体をパソコンにて読み取らせたりする手間を不要にして、撮影後すぐに撮影画像の階調性の有無を確認できるようにする。【選択図】図２
2007259303.tif 000002
【特許請求の範囲】
【請求項１】
画像を記憶媒体に記録する記録手段と、
前記記録手段によって記録された画像を拡大して表示部に表示する表示手段と、
前記表示手段によって表示された拡大画像の階調を検出する階調検出手段と、
前記階調検出手段によって検出された検出結果を基に輝度を変換する輝度変換手段と、
前記輝度変換手段によって変換された輝度結果に基づいて階調補正を行う階調補正手段とを有し、
前記表示手段は、前記階調補正手段によって階調補正された拡大画像を前記表示部に表示することを特徴とする画像処理装置。
【請求項２】
前記階調検出手段は、前記拡大画像における補正可能な最大輝度及び最低輝度を検出し、
前記輝度変換手段は、前記階調検出手段によって検出された最大輝度を前記表示手段によって表示可能な最大輝度に変換するとともに、前記階調検出手段によって検出された最低輝度を前記表示手段によって表示可能な最低輝度に変換することを特徴とする請求項１に記載の画像処理装置。
【請求項３】
前記表示手段によって表示された拡大画像において補正可能な輝度の上限値を設定する輝度範囲設定手段を有し、
前記階調検出手段は、前記輝度範囲設定手段によって設定された上限値を上回らない範囲内における最大輝度を検出することを特徴とする請求項２に記載の画像処理装置。
【請求項４】
前記表示手段によって表示された拡大画像において補正可能な輝度の下限値を設定する輝度範囲設定手段を有し、
前記階調検出手段は、前記輝度範囲設定手段によって設定された下限値を下回らない範囲内における最低輝度を検出することを特徴とする請求項２に記載の画像処理装置。
【請求項５】
前記表示手段によって表示された拡大画像において補正可能な輝度の上限値及び下限値を設定する輝度範囲設定手段を有し、
前記階調検出手段は、前記輝度範囲設定手段によって設定された上限値及び下限値の範囲内における最低輝度を検出することを特徴とする請求項２に記載の画像処理装置。
【請求項６】
前記階調補正手段による階調補正の有無を設定する補正設定手段を有することを特徴とする請求項１〜５の何れか１項に記載の画像処理装置。
【請求項７】
前記階調補正手段により階調補正された拡大画像に対して、輪郭を強調する輪郭強調手段を有し、
前記表示手段は、前記輪郭強調手段によって輪郭が強調された拡大画像を表示することを特徴とする請求項１〜６の何れか１項に記載の画像処理装置。
【請求項８】
画像を記憶媒体に記録する記録工程と、
前記記録工程において記録された画像を拡大して表示部に表示する表示工程と、
前記表示工程において表示された拡大画像の階調を検出する階調検出工程と、
前記階調検出工程において検出された検出結果を基に輝度を変換する輝度変換工程と、
前記輝度変換工程において変換された輝度結果に基づいて階調補正を行う階調補正工程とを有し、
前記表示工程は、前記階調補正工程において階調補正された拡大画像を前記表示部に表示することを特徴とする画像処理方法。
【請求項９】
前記階調検出工程は、前記拡大画像における補正可能な最大輝度及び最低輝度を検出し、
前記輝度変換工程は、前記階調検出工程において検出された最大輝度を前記表示工程において表示可能な最大輝度に変換するとともに、前記階調検出工程によって検出された最低輝度を前記表示工程において表示可能な最低輝度に変換することを特徴とする請求項８に記載の画像処理方法。
【請求項１０】
前記表示工程において表示された拡大画像において補正可能な輝度の上限値を設定する輝度範囲設定工程を有し、
前記階調検出工程は、前記輝度範囲設定工程において設定された上限値を上回らない範囲内における最大輝度を検出することを特徴とする請求項９に記載の画像処理方法。
【請求項１１】
前記表示工程において表示された拡大画像において補正可能な輝度の下限値を設定する輝度範囲設定工程を有し、
前記階調検出工程は、前記輝度範囲設定工程において設定された下限値を下回らない範囲内における最低輝度を検出することを特徴とする請求項９に記載の画像処理方法。
【請求項１２】
前記表示工程において表示された拡大画像において補正可能な輝度の上限値及び下限値を設定する輝度範囲設定工程を有し、
前記階調検出工程は、前記輝度範囲設定工程において設定された上限値及び下限値の範囲内における最低輝度を検出することを特徴とする請求項９に記載の画像処理方法。
【請求項１３】
前記階調補正工程における階調補正の有無を設定する補正設定工程を有することを特徴とする請求項８〜１２の何れか１項に記載の画像処理方法。
【請求項１４】
前記階調補正工程において階調補正された拡大画像に対して、輪郭を強調する輪郭強調工程を有し、
前記表示工程は、前記輪郭強調工程において輪郭が強調された拡大画像を表示することを特徴とする請求項８〜１３の何れか１項に記載の画像処理方法。
【請求項１５】
画像を記憶媒体に記録する記録工程と、
前記記録工程において記録された画像を拡大して表示部に表示する表示工程と、
前記表示工程において表示された拡大画像の階調を検出する階調検出工程と、
前記階調検出工程において検出された検出結果を基に輝度を変換する輝度変換工程と、
前記輝度変換工程において変換された輝度結果に基づいて階調補正を行う階調補正工程とを有し、
前記表示工程は、前記階調補正工程において階調補正された拡大画像を前記表示部に表示する画像処理方法をコンピュータに実行させることを特徴とするコンピュータプログラム。
【請求項１６】
前記請求項１５に記載のコンピュータプログラムを記録したことを特徴とするコンピュータ読み取り可能な記録媒体。
【発明の詳細な説明】
【技術分野】
【０００１】
本発明は画像処理装置、画像処理方法、コンピュータプログラム及び記録媒体に関し、特に、撮影画像の階調性を撮影直後に確認するために用いて好適な技術に関する。
【背景技術】
【０００２】
従来のデジタルカメラは、液晶ディスプレイを備え、撮影中の動画表示及び記録媒体に記録した画像データから再生した画像（静止画像）を液晶ディスプレイに表示するように構成されている。しかしながら、人物の集合撮影や風景などの遠景を撮影した画像に対して撮影状態を確認する際に、人物の特定や、撮影物を特定することを、デジタルカメラに備えられている小型でかつ解像度の低い液晶ディスプレイで確認することは困難であった。そこで、記録された画像を再生する際に、撮影画像の一部を拡大表示（ズーム表示）する機能を持つ、「ズーム表示機能付デジタルカメラ」が提案されている（例えば、特許文献１を参照）。
【０００３】
【特許文献１】特開平１０−３３６４９４号公報
【発明の開示】
【発明が解決しようとする課題】
【０００４】
しかしながら、前記特許文献１に記載のズーム表示機能付デジタルカメラを用いた場合でも、デジタルカメラに用いられている液晶ディスプレイの階調表現性が低いが、例えば、風景などを撮影した画像の場合における階調性の確認程度は行うことができる。これは、風景には、空のように輝度の高い個所から暗部のように輝度の低い個所まで含まれているので、画像領域内において最大輝度と最低輝度との差が大きいためである。
【０００５】
ところが、階調表現性が低い液晶ディスプレイを用いていると、輝度に大きな差がない壁などの場合には、拡大しても階調性の有無を確認することが困難であるという問題点があった。また、高い階調表現が可能なプリンタ等にパーソナルコンピュータ（以下、パソコン）を介さずダイレクトに印刷を行うような場合は、印刷した後でないと撮影した画像の階調の有無を確認することができない問題点があった。
【０００６】
前述のように、画像の階調の有無を確認することは、撮影した画像をパソコン等に読み取らせて編集するようにすれば、撮影画像に階調性があれば可能である。しかしながら、パソコンで確認するためには、デジタルカメラをパソコンに接続したり、記録媒体をパソコンに読み取らせたりしてからでないと行うことができないので、撮影画像の階調性を撮影直後に確認することができない問題点、及び画像データをパソコンに取り込む手間が必要である問題点があった。さらに、パソコンに読み取らせて拡大すると、拡大率に応じて画素が補完されてしまうために、実際の撮影画像の解像観が失われてしまう問題もあった。
【０００７】
本発明は前述の問題点に鑑み、撮影画像をプリンタで印刷したり、パソコンに接続したり、記録媒体をパソコンで読み取らせたりする手間をかけることなく、撮影後すぐに撮影画像の階調性の有無を確認することができるようにすることを目的とする。
【課題を解決するための手段】
【０００８】
本発明の画像処理装置は、画像を記憶媒体に記録する記録手段と、前記記録手段によって記録された画像を拡大して表示部に表示する表示手段と、前記表示手段によって表示された拡大画像の階調を検出する階調検出手段と、前記階調検出手段によって検出された検出結果を基に輝度を変換する輝度変換手段と、前記輝度変換手段によって変換された輝度結果に基づいて階調補正を行う階調補正手段とを有し、前記表示手段は、前記階調補正手段によって階調補正された拡大画像を前記表示部に表示することを特徴とする。
【０００９】
本発明の画像処理方法は、画像を記憶媒体に記録する記録工程と、前記記録工程において記録された画像を拡大して表示部に表示する表示工程と、前記表示工程において表示された拡大画像の階調を検出する階調検出工程と、前記階調検出工程において検出された検出結果を基に輝度を変換する輝度変換工程と、前記輝度変換工程において変換された輝度結果に基づいて階調補正を行う階調補正工程とを有し、前記表示工程は、前記階調補正工程において階調補正された拡大画像を前記表示部に表示することを特徴とする。
【００１０】
本発明のコンピュータプログラムは、画像を記憶媒体に記録する記録工程と、前記記録工程において記録された画像を拡大して表示部に表示する表示工程と、前記表示工程において表示された拡大画像の階調を検出する階調検出工程と、前記階調検出工程において検出された検出結果を基に輝度を変換する輝度変換工程と、前記輝度変換工程において変換された輝度結果に基づいて階調補正を行う階調補正工程とを有し、前記表示工程は、前記階調補正工程において階調補正された拡大画像を前記表示部に表示する画像処理方法をコンピュータに実行させることを特徴とする。
【００１１】
本発明の記録媒体は、前記に記載のコンピュータプログラムを記録したことを特徴とする。
【発明の効果】
【００１２】
本発明によれば、記録画像確認時に拡大箇所に応じた最適な階調で表示することで、拡大前にはわかりづらかった階調性を確認することが可能になる。
【発明を実施するための最良の形態】
【００１３】
（第１の実施形態）
以下、本発明の実施形態について、図面を参照しながら説明する。
図１は、本実施形態のデジタルカメラの外観構成例を示す斜視図である。
図１において、１はデジタルカメラであり、２は本体に電源を入れる電源ＳＷである。また、３は撮影モード・再生モードを切り替えるモードＳＷである。
【００１４】
４は撮影時ズーム操作を行い、再生時、撮影画像の一部の拡大表示（ズーム表示）を行うためのズームレバーである。５はレリーズスイッチであり、６は撮影及び再生画像・シャッター速度、絞り数値撮影枚数情報、メニュー等を表示する液晶表示パネルである。７はメニューに入る為のメニューＫＥＹであり、８はメニューを操作する十字操作ＫＥＹである。
【００１５】
図２は、図１に示すデジタルカメラの制御部の機能構成例を示すブロック図である。
図２において、１１はデジタルカメラ１を動作させるためにデジタルカメラ１本体に電圧を供給する電源供給部である。１２はデジタルカメラ１全体を制御するためのＣＰＵであり、１３は画像を撮像するためのＣＣＤを含む撮像部である。
【００１６】
１４は撮像した画像を処理する画像処理部であり、１５は画像データを記憶する記憶部である。１６は撮影画像を表示したり、デジタルカメラ１本体の状態を外部に知らせたりするための液晶パネル表示部である。１７は画像処理部で処理された画像データより、階調を検出する階調検出部である。１８はパソコンやプリンタ等の外部装置とのデータ送受信に用いられる外部インターフェース部であり、１９はデジタルカメラ１本体への操作を行う操作部である。
【００１７】
なお、図２には示されていないが、ＣＰＵ１２には、前記図１におけるデジタルカメラ１の撮影及び再生に必要な諸々の回路等がさらに接続されており、ＣＰＵ１２は、不図示のＲＯＭに格納された所定のプログラムに従って動作制御する。
【００１８】
図３は、図２に示す液晶パネル表示部１６の機能構成例を示すブロック図である。
図３において、１６１は液晶パネルである。１６２は送信された画像信号を液晶パネル１６１に表示するために画像処理を行う画像処理回路部である。１６３は液晶パネル１６１への駆動及び制御を行う駆動制御回路部である。１６４は画像処理回路部１６２のタイミング生成及び駆動制御回路部１６３のタイミング生成を行うタイミング制御回路部である。
【００１９】
図４は、図３に示す画像処理回路部１６２の機能構成例を示すブロック図である。
図４において、１６２１は撮像部１３により撮像された画像が画像処理部１４により処理されて、画像信号（Ｒ・Ｇ・Ｂ信号）を所定のレベルにクランプするクランプ回路である。
【００２０】
なお、本実施形態では、画像処理回路部１６２にＲ・Ｇ・Ｂ信号を入力しているが、コンポジットビデオ信号または輝度信号＋色差信号を入力してもよい。また、本実施形態では、画像処理回路部１６２にアナログ画像信号を入力しているが、デジタル画像信号を入力してもよい。
【００２１】
１６２２は不要周波数帯域信号を落とすフィルタ回路であり、１６２３は階調レベルを補正するγ補正回路である。１６２４は駆動制御回路部１６３に与える画像信号を所定の値に設定するためのアンプ回路である。１６２５は駆動制御回路部１６３に与える画像信号を液晶パネル１６１の画素配列に合わせ時間軸で各画像信号（Ｒ・Ｇ・Ｂ）を補正するためのサンプルホールドを行うサンプルホールド回路部である。１６２６は駆動制御回路部１６３に渡すためのバッファ処理を行うバッファ回路である。
【００２２】
図５は、本実施形態のデジタルカメラ１における再生時の画像拡大表示の処理手順の一例を示すフローチャートである。
まず、ステップＳ１０１において、再生モード設定を検出し再生モードにする。次に、ステップＳ１０２において、拡大表示モードを検出し、拡大表示モードにする。
【００２３】
次に、ステップＳ１０３において、メニュー上の再生メニュー設定が階調補正モードに設定されているか否かを判別する。この判別の結果、階調補正モードに設定されていない場合は、ステップＳ１０９に進み、通常画像拡大表示の設定で表示を行う。一方、ステップ１０３の判別の結果、階調補正モードに設定されている場合は、ステップＳ１０４に進み、階調検出部１７により階調検出を行い、再生メニューで設定されている階調補正種に応じて、階調補正量をＣＰＵ１２にて算出する。
【００２４】
次に、ステップＳ１０５において、ステップＳ１０４で算出した階調補正量を液晶パネル表示部１６に対して設定を行う。次に、ステップ１０６で、再生メニュー設定状態において、エッジ強調モードがＯＮかＯＦＦかを判別する。この判別の結果、ＯＮの場合は、ステップＳ１０７に進み、階調補正及びエッジ強調を行った拡大画像を表示する。一方、ステップＳ１０６の判別の結果、ＯＦＦの場合は、ステップＳ１０８に進み、階調補正のみを行った拡大画像を表示する。
【００２５】
次に、階調検出部１７における検出処理及び設定について、図６に示すフローチャートを参照しながら説明する。
ステップ２０１において、図７に示すような拡大画像の領域を選択する。次に、ステップＳ２０２において、ステップＳ２０１で選択された拡大画像内の最大輝度レベルの検出を行う。図７に示す例の場合、選択された拡大画像内の輝度データは、８ｂｉｔＤＡＴＡのＡ部：４０ｈｅｘ・Ｂ部：３８ｈｅｘ・Ｃ部：３０ｈｅｘ・Ｄ部：２８ｈｅｘ・Ｅ部：２０ｈｅｘとなっているため、Ａ部：４０ｈｅｘを抽出する。
【００２６】
次に、ステップＳ２０３において、選択された拡大画像内の最低輝度レベルの検出を行う。図７に示す例の場合、選択された拡大画像内の最低輝度データは、Ｅ部：２０ｈｅｘなのでＥ部：２０ｈｅｘを抽出する。そして、ステップＳ２０４において、階調演算処理を行う。階調演算処理は、抽出した最大輝度データのＡ部：４０ｈｅｘをＡａ部：ＦＦｈｅｘに変換し、最低輝度データのＥ部：２０ｈｅｘをＥｅ部：００ｈｅｘに変換する。
【００２７】
ステップＳ２０５において、画像処理回路部１６２に対して、図８に示すように各Ｒ・Ｇ・Ｂ出力信号のＢｒｉｇｈｔレベル・Ｃｏｎｔｒａｓｔレベルを最大輝度レベルＦＦｈｅｘ相当・最低輝度レベル００ｈｅｘ相当になるよう変更する設定を行う。そして、設定を変更したら処理を終了する。
【００２８】
本実施形態では、液晶パネル表示部１６内の画像処理回路部１６２の各Ｒ・Ｇ・Ｂ出力信号のＢｒｉｇｈｔレベル・Ｃｏｎｔｒａｓｔレベルを最大輝度レベルＦＦｈｅｘ相当・最低輝度レベル００ｈｅｘ相当になるよう変更する設定を行っている。一方、液晶パネル表示部１６内の画像処理回路部１６２に対して、画像データそのものを図７のように、Ａａ部：ＦＦｈｅｘ・Ｂｂ部：Ｃ０ｈｅｘ・Ｃｃ部：８０ｈｅｘ・Ｄｄ部：４０ｈｅｘ・Ｅｅ部：００ｈｅｘとして入力してもよい。
【００２９】
なお、本実施形態ではデジタルカメラにて画像を再生することを前提に説明を行ったが、メモリに格納された画像を再生することが可能な、画像ビューワー等に応用することも可能である。
【００３０】
このように、本実施形態では、表示された拡大画像の階調を検出し、検出された検出結果を基に輝度を変換して、変換された輝度結果に基づいて階調補正を行って拡大画像を行事するようにしている。そうすることで、撮影した画像をプリンタにて印刷したり、パソコンに接続したり、記録媒体をパソコンにて読み取らせたりする手間を不用にして、撮影後すぐに撮影画像の階調性の有無を確認することを可能にしている。また、階調補正された拡大画像に対して、輪郭強調することで、拡大画像の画像視認性を向上させることができ、画像の解像感を向上させることを可能にしている。
【００３１】
（第２の実施形態）
以下、本発明の第２の実施形態について、図面を参照しながら説明する。なお、機能構成については、第１の実施形態と同様であるため、説明を省略する。図９は、本実施形態の階調検出部における検出処理及び演算処理及び設定手順の一例を示すフローチャートである。
【００３２】
ステップＳ３０１において、図１０に示すような拡大画像の領域を選択する。次に、ステップＳ３０２において、ステップＳ３０１で選択された拡大画像内の輝度レベルの検出を行う。図１０に示す拡大画像では、Ａ部：Ａ６ｈｅｘ・Ｂ部：８０ｈｅｘ・Ｃ部：７８ｈｅｘ・Ｄ部：７０ｈｅｘ・Ｅ部：６８ｈｅｘが検出される。
【００３３】
次に、ステップＳ３０３に進み、選択された拡大画像内において、ユーザが所望するレベル以上の輝度レベルでは、階調補正を行わないように、再生メニュー設定における輝度レベルのスレッシュホールドレベル設定を行う。本実施形態では、例えば、カメラのＡＥである輝度６５％（Ａ５ｈｅｘ）に設定する。なお、スレッシュホールドレベルについては、ユーザが任意にレベルを選択することができる。
【００３４】
そして、ステップＳ３０４において、階調演算を行う。設定したスレッシュホールドレベルが輝度６５％（Ａ５Ｈｅｘ）であるため、Ａ部：Ａ６ｈｅｘを除いた、Ｂ部：８０ｈｅｘ・Ｃ部：７８ｈｅｘ・Ｄ部：７０ｈｅｘ・Ｅ部：６８ｈｅｘについて、演算を行う。演算方法は、前記実施例同様、抽出した最大輝度データＢ部：８０ｈｅｘをＢｂ部：ＦＦｈｅｘに変換し、最低輝度データＥ部：６８ｈｅｘをＥｅ部：００ｈｅｘに変換を行う。
【００３５】
次に、ステップＳ３０５へ進み、画像処理回路部１６２に対して、図１０に示すようにＡａ部：Ａ６ｈｅｘ・Ｂｂ部：ＦＦｈｅｘ・Ｃｃ部：ＡＡｈｅｘ・Ｄｄ部：５５ｈｅｘ・Ｅｅ部：００ｈｅｘとして入力し、液晶パネル表示部１６にて表示する。本実施形態においては、輝度レベルのスレッシュホールドレベル以下で階調補正を行っているが、輝度レベルのスレッシュホールドレベル以上にて階調補正を行っても構わない。また、輝度レベルのスレッシュホールドレベルを上限と下限との２個所に設け、その範囲内で前記のように階調補正を行ってもよい。
【００３６】
（本発明に係る他の実施形態）
前述した本発明の実施形態における画像処理装置を構成する各手段、並びに画像処理方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３７】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００３８】
なお、本発明は、前述した実施形態の機能を実現するソフトウェアのプログラム（実施形態では図５、６、９に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００３９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４０】
その場合、プログラムの機能を有していれば、オブジェクトコード、インタプリタにより実行されるプログラム、ＯＳに供給するスクリプトデータ等の形態であってもよい。
【００４１】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４２】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４４】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４５】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４６】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４７】
【図１】本発明の第１の実施形態に係るデジタルカメラの外観構成例を示す斜視図である。
【図２】図１に示すデジタルカメラの制御部の機能構成例を示すブロック図である。
【図３】図２に示す液晶パネル表示部の機能構成例を示すブロック図である。
【図４】図３に示す画像処理回路部の機能構成例を示すブロック図である。
【図５】本発明の第１の実施形態において、デジタルカメラにおける再生時の画像拡大表示の処理手順の一例を示すフローチャートである。
【図６】本発明の第１の実施形態において、階調検出部における検出処理及び設定手順の一例を示すフローチャートである。
【図７】本発明の第１の実施形態における階調補正方法の詳細を示し、拡大画像の領域を選択する様子を説明する図である。
【図８】本発明の第１の実施形態において、階調補正前後の各Ｒ・Ｇ・Ｂ信号の波形の変化を示す図である。
【図９】本発明の第２の実施形態において、階調検出部における検出処理及び設定手順の一例を示すフローチャートである。
【図１０】本発明の第２の実施形態における階調補正方法の詳細を示し、拡大画像の領域を選択する様子を説明する図である。
【符号の説明】
【００４８】
１  デジタルカメラ
２  電源ＳＷ
３  モードＳＷ
４  ズームレバー
５  レリーズスイッチ
６  液晶表示パネル
７  メニューＫＥＹ
８  十字操作ＫＥＹ
１１  電源供給部
１２  ＣＰＵ
１３  撮像部
１４  画像処理部
１５  記憶部
１６  液晶パネル表示部
１６１  液晶パネル
１６２  画像処理回路部
１６３  駆動制御回路部
１６４  タイミング制御回路部
１７  階調検出部
１８  外部インターフェース部
１９  操作部
【図１】
2007259303.tif 000003
【図２】
2007259303.tif 000004
【図３】
2007259303.tif 000005
【図４】
2007259303.tif 000006
【図５】
2007259303.tif 000007
【図６】
2007259303.tif 000008
【図７】
2007259303.tif 000009
【図８】
2007259303.tif 000010
【図９】
2007259303.tif 000011
【図１０】
2007259303.tif 000012